(57)【要約】【課題】床部を避難ステージと物品収納用床との二重床構造として床下に物品収納庫を設置する場合に、物品収納用床に専用の梁を設ける必要をなくして安価に設置可能にする。【解決手段】最上階のＨ形鋼からなる梁５に、避難者用の避難ステージ２とこの避難ステージ２の下方に位置して防災用品等の物品を収納するための物品収納庫３を形成する物品収納用床４とを設ける（二重床構造とする）。避難ステージ２はＨ鋼の梁５の上フランジ間に架け渡し、物品収納用床４は同じ梁５の下フランジ間に架け渡す。避難ステージ２には、物品収納庫への物品の出し入れをするための開閉部を設ける。二重床の避難ステージ２と物品収納用床４とが同じ梁に取り付けられているので、物品収納用床に専用の梁を設ける必要がなく、安価に設置できる。防災用品を収納するものなので、Ｈ形鋼の梁の上フランジと下フランジとの間の高さ程度の物品収納空間でも十分有効に機能する。【選択図】図１
2013253447.tif 000002
【特許請求の範囲】
【請求項１】
間隔をあけて立設した３本以上の柱と前記柱間に架け渡されたＨ鋼の梁とからなる多層階の鉄骨骨組みを有し、
最上階の梁に、避難者用の避難ステージとこの避難ステージの下方に位置して物品を収納するための物品収納庫を形成する物品収納用床とが設けられて二重床構造とされ、
前記避難ステージはＨ鋼からなる前記梁の上フランジ間に架け渡され、前記物品収納用床は前記梁の下フランジ間に架け渡され、
前記避難ステージには、前記物品収納庫への物品の出し入れをするための開閉部が設けられていることを特徴とする避難タワー。
【請求項２】
前記開閉部は、人が上載した際の荷重を受け持つ剛性を備えており、梁に直接又は金具を介して取り付けられ、上載荷重が作用した際にその荷重を梁に伝達する構成とされていることを特徴とする請求項１記載の避難タワー。
【請求項３】
前記開閉部を構成する部材と前記避難ステージを構成する部材とが、同種の金属材により構成されていることを特徴とする請求項１又は２に記載の避難タワー。
【請求項４】
前記避難ステージ及び物品収納用床はいずれも、細長い複数の床板材を床板材長手方向両側の梁の間に、床板材幅方向に並べて架け渡して構成されていることを特徴とする請求項１〜３のいずれか１項に記載の避難タワー。
【請求項５】
前記物品収納用床は、細長い複数の床板材と前記床板材の上面より突出する高さを有する幅狭で細長い複数のレール部材とを、床板材長手方向両側の梁の下フランジ間に、床板材幅方向に交互に配置される態様で架け渡して構成されていることを特徴とする請求項１〜３のいずれか１項に記載の避難タワー。
【請求項６】
前記物品収納用床は、幅狭で細長い複数のレール部材のみを、レール部材長手方向両側の梁の下フランジ間に、レール部材幅方向に間隔をあけて架け渡して構成されていることを特徴とする請求項１〜３のいずれか１項に記載の避難タワー。
【請求項７】
前記物品収納用床は、Ｈ鋼からなる梁の下フランジ間に傾斜した状態で架け渡されていることを特徴とする請求項１〜６のいずれか１項に記載の避難タワー。
【請求項８】
前記物品収納用床の端部と梁の下フランジとの接合部にテーパ部材を介在させたことを特徴とする請求項７記載の避難タワー。
【請求項９】
前記開閉部が前記避難ステージに、1箇所の物品収納庫に対応して複数設けられていることを特徴とする請求項１〜８のいずれか１項に記載の避難タワー。
【請求項１０】
前記開閉部が前記避難ステージにおける、傾斜した物品収納用床の傾斜上流側の位置と傾斜下流側の位置に設けられていることを特徴とする請求項７記載の避難タワー。
【請求項１１】
前記物品収納用床の端部を、梁の下フランジに固定した接合金具に固定したことを特徴とする請求項１〜１０のいずれか１項に記載の避難タワー。
【請求項１２】
避難ステージの床板材は、梁の上フランジに固定した接合金具の上に載せた嵩上げ状態で梁間に掛け渡されていることを特徴とする請求項１〜１１のいずれか１項に記載の避難タワー。
【発明の詳細な説明】
【技術分野】
【０００１】
本発明は、津波により陸地に水が押し寄せた際に、地域住民が溺れて命を失うことのないように、津波想定高さより高く建設された避難タワーに関し、特に、避難タワーに避難した人が被災時に必要とする防災用品を収納することができる、二重床構造による物品収納庫を備えた避難タワーに関する。
【背景技術】
【０００２】
津波に襲われた時、地域住民が津波の届かない高台まで避難する余裕のない状況である場合が十分考えられる。そのように事態に備えて、津波想定高さより上に避難ステージが位置する避難タワーがその地域に建設されていれば、そこに避難することで命を失うことを避けることができる。その場合、避難タワーに避難した人が被災時に必要とする、食料品や医療品、毛布などの防災用品を収納することができる物品収納庫を備えていると、避難者が救助されるまでの間の心身の苦痛を少しでも緩和できる。
【０００３】
特許文献１には、そのような防災用品収納用の収納部を避難タワーの避難ステージの底部に設けることが記載されている。すなわち、避難タワーに設けられた避難ステージ８０３の底部に、収納部８０７が設けられ、同収納部８０７は、避難路面板を開けることで内部の収納物、例えば、非常用の食料品や用具、通信器具などを取り出すことができる、旨の記載がある（特許文献１の[００３６]、図１５）。
また、収納部８２１の上蓋８２２を開けることで収納物を取り出すことができる、旨の記載がある（特許文献１の [００３７]、図１６参照）。
【先行技術文献】
【特許文献】
【０００４】
【特許文献１】特開２００５−２６４７２１
【発明の概要】
【発明が解決しようとする課題】
【０００５】
上記先行文献１には、避難ステージの底部に収納部を設けるという記載、収納部の上蓋を開けると収納物を取り出せるという記載、及び、図面にその収納部のある位置を示す簡単な記載があるのみであり、収納部が避難ステージの底部にどのように設けられているかの具体的構造は記載されていない。
【０００６】
上記先行文献１のように、避難ステージの床下に収納部を設けることは、防災用品を収納する倉庫を床上に載置した場合と比較して、避難ステージ上面の面積を広く利用することができ、避難ステージに多くの人が避難することができるので、避難タワーの収納部として適切であるが、床下の収納部を極力安価に設置可能であることが望まれる。
【０００７】
一般的な建築物に適用される床下収納では、床部に設けた開口に収納庫を床部から吊下げて設ける収納庫吊下げ構造とするか、二重床構造により形成した床下の収納空間に収納容器を載置して設けることが多い。しかし、避難タワーの場合は、避難ステージの面積に対して大勢の人が避難して大きな荷重が床に作用するので、前記収納庫吊下げ構造では収納部構造及び収納物品の重量が床に追加されて、好ましくない。また、二重床構造の場合は一般に、収納部構造及び収納物品の重量が床に追加されない構造とすると、物品収納部のための専用の梁が必要となる等で、施工費が高くなる。
【０００８】
本発明は上記事情に鑑みてなされたもので、避難ステージに多くの人が避難することができるように、床部を避難ステージと物品収納用床との二重床構造として床下に物品収納庫を設置する場合に、防災用品を収納するものなので物品収納空間の高さはそれほど高くなくてもよいことに着目して、物品収納庫に専用の梁が不要で物品収納庫を極めて安価に設置可能な避難タワーを提供することを目的とする。
【課題を解決するための手段】
【０００９】
上記課題を解決する請求項１の発明の避難タワーは、間隔をあけて立設した３本以上の柱と前記柱間に架け渡されたＨ鋼の梁とからなる多層階の鉄骨骨組みを有し、
最上階の梁に、避難者用の避難ステージとこの避難ステージの下方に位置して物品を収納するための物品収納庫を形成する物品収納用床とが設けられて二重床構造とされ、
前記避難ステージはＨ鋼からなる前記梁の上フランジ間に架け渡され、前記物品収納用床は前記梁の下フランジ間に架け渡され、
前記避難ステージには、前記物品収納庫への物品の出し入れをするための開閉部が設けられていることを特徴とする。
【００１０】
請求項２は、請求項１の避難タワーにおいて、前記開閉部は、人が上載した際の荷重を受け持つ剛性を備えており、梁に直接又は金具を介して取り付けられ、上載荷重が作用した際にその荷重を梁に伝達する構成とされていることを特徴とする。
【００１１】
請求項３は、請求項１の避難タワーにおいて、前記開閉部を構成する部材と前記避難ステージを構成する部材とが、同種の金属材により構成されていることを特徴とする。
【００１２】
請求項４は、請求項１〜３のいずれか１項の避難タワーにおいて、前記避難ステージ及び物品収納用床はいずれも、細長い複数の床板材を床板材長手方向両側の梁の間に、床板材幅方向に並べて架け渡して構成されていることを特徴とする。
【００１３】
請求項５は、請求項１〜３のいずれか１項の避難タワーにおいて、前記物品収納用床は、細長い複数の床板材と前記床板材の上面より突出する高さを有する幅狭で細長い複数のレール部材とを、床板材長手方向両側の梁の下フランジ間に、床板材幅方向に交互に配置される態様で架け渡して構成されていることを特徴とする。
【００１４】
請求項６は、請求項１〜３のいずれか１項の避難タワーにおいて、前記物品収納用床は、幅狭で細長い複数のレール部材のみを、レール部材長手方向両側の梁の下フランジ間に、レール部材幅方向に間隔をあけて架け渡して構成されていることを特徴とする。
【００１５】
請求項７は、請求項１〜６のいずれか1項の避難タワーにおいて、前記物品収納用床は、Ｈ鋼からなる梁の下フランジ間に傾斜した状態で架け渡されていることを特徴とする。
【００１６】
請求項８は、請求項７の避難タワーにおいて、前記物品収納用床の端部と梁の下フランジとの接合部にテーパ部材を介在させたことを特徴とする。
【００１７】
請求項９は、請求項１〜６のいずれか1項の避難タワーにおいて、前記開閉部が前記避難ステージに、1箇所の物品収納庫に対応して複数設けられていることを特徴とする。
【００１８】
請求項１０は、請求項７の避難タワーにおいて、前記開閉部が前記避難ステージにおける、傾斜した物品収納用床の傾斜上流側の位置と傾斜下流側の位置に設けられていることを特徴とする。
【００１９】
請求項１１は、請求項１〜９のいずれか1項の避難タワーにおいて、前記物品収納用床の端部を、梁の下フランジに固定した接合金具に固定したことを特徴とする。
【００２０】
請求項１２は、請求項１〜１１のいずれか1項の避難タワーにおいて、避難ステージの床板材は、梁の上フランジに固定した接合金具の上に載せた嵩上げ状態で梁間に掛け渡されていることを特徴とする。
【発明の効果】
【００２１】
請求項１の発明の避難タワーによれば、物品収納庫が二重床構造をなす避難ステージとその下方の物品収納用床との間の空間として形成されているので、防災用品などの物品を収納する倉庫を床上に載置した場合と比較して、避難ステージ上面の面積を広く利用することができ、避難ステージに多くの人が避難することができる。
また、津波災害時には避難ステージの面積に対して大勢の人が避難して大きな荷重が床（避難ステージ）に作用することが予想されるが、床に収納庫及び収納物を吊下げて負担して荷重が大となる収納庫吊下げ構造と比べて、物品収納に係る荷重が床自体には加わらないので、床構造をオーバースペックにする必要はなく、避難タワーを安価に施工することができる。
また、本発明では二重床構造を採用しているが、二重床にするための梁を追加で設けるとすれば、梁部材量が増えるので材料コストが高くなり、また、柱と梁の接合箇所が増えて柱梁接合部材等の加工コストが高くなり不経済である。しかし、物品収納用床が避難ステージと同じ梁に支持される構造なので、二重床構造であっても物品収納用床のための梁を別途設ける必要はなく、この点でも避難タワーを安価に施工できる。
また、物品収納庫すなわち物品収納空間が、避難ステージと物品収納用床とＨ形鋼である周囲の梁のウエブとで囲まれた空間として形成されるので、すなわち梁（Ｈ形鋼）のウエブが壁面を形成するので、周囲の壁面材を別途設けることが不要であり、この点でも安価に施工できる。
物品収納庫は防災用品を収納するものなので物品収納空間の高さはそれほど高くなくてもよく、Ｈ形鋼の梁の上フランジと下フランジとの間の高さ程度の物品収納空間でも十分有効に機能する。
避難タワーはそれが将来使用されることになるかどうか分からないという性質のものであるが、上記の通り安価に設置できるので、避難タワー設置を現実的な津波対策とし採用し易くなると言える。
【００２２】
請求項２によれば、開閉部そのものが避難した人による上載荷重に耐えうるような大きな剛性を備えているので、津波の要因となる地震が発生した際に開閉部が歪んでしまうことを防ぐことができ、津波襲来時に避難者が開閉部を開閉できなくなる恐れがない。
また、物品収納用床に開閉部を取り付ける場合は、開閉部に作用する上載荷重に対して、物品収納用床の開口部を補強したり、物品収納庫に開閉部の支持部材を設置する必要があるが、本発明では開閉部に上載荷重が作用した際にその荷重を梁に応力伝達する構成であるから、開口部の補強や、物品収納庫に開閉部の支持部材を設置する必要がない。
【００２３】
請求項３によれば、開閉部と避難ステージが同種の金属から構成されているので、いわゆる異種金属接触腐食の発生を防止でき、いざ開閉部を開閉するときに錆で動かないという恐れがなくなる。すなわち、避難タワーは、海岸線に近い場所に設置されて海風を長期に渡り受けるので、異種金属同士では両者間に電位差が生じて錆が進行しやすいが、開閉部と避難ステージを同種の金属材から構成することで、両者間の生じる電位差をなくして、海風による錆の進行を低減させることができる。
また、避難タワーは、建築物のような壁に断熱材を備える構成ではなく、外気温の影響を強く受けるので季節や時間による寒暖の差から生じる熱応力を特に考慮する必要があるが、開閉部と避難ステージを同種の金属材から構成することで、熱膨張率が同じとなり熱応力で取り付け部が損傷する恐れがなくなる。
【００２４】
請求項５又は６によれば、例えば物品を直接あるいは物品を入れた収納ケースを物品収納庫に収納した時、物品又は収納ケースはレール部材上を小さな力でスライドさせて容易に移動させることができる。なお、以下では、煩雑さを避けるために、「物品あるいは収納ケース」と言うべきところを単に「物品」と言う場合がある。
したがって、物品（物品又は収納ケース）を押すか引くかすること等で、物品収納用床上を容易に移動させることができ、物品の収納あるいは取り出しが容易になる。
請求項６のように、物品収納用床が間隔をあけて配置した細長い複数のレール部材のみからなる構造では、物品収納用床の施工が極めて簡略化され、施工コストが安くなる。
【００２５】
請求項７のように物品収納用床を傾斜させた構造では、収納した物品の移動がさらに容易になる。
その場合、請求項１０のように開閉部を、避難ステージにおける、傾斜した物品収納用床の傾斜上流側の位置と傾斜下流側の位置に設けると、物品を傾斜上流側の開閉部から入れ傾斜下流側の開閉部から取り出すことで、物品収納用床を傾斜させた構造が有効に活かされて物品の出し入れが容易になる。
【００２６】
請求項１１のように、物品収納用床の端部を、梁の下フランジに直接載せて固定するのでなく、梁の下フランジに固定した接合金具に固定する構造を採用すると、例えば、物品収納用床の高さ位置を梁の下フランジ高さ位置より低い位置で、梁の下フランジに接合する構造とすることができる。これにより、１つの梁の上下のフランジに避難ステージと物品収納用床とを取り付けて物品収納庫を形成した構造であっても、物品収納空間の高さ寸法を大にすることができ、収納可能な容積を大にすることができる。
また、物品収納用床を傾斜させる場合に、その傾斜に対応させた接合金具を用いることで、傾斜した物品収納用床を梁に固定する固定手段を簡単なものとすることができる。
また、物品収納用床を架け渡す両側の梁の成が互いに異なる場合（すなわち、両側の梁の下フランジの高さ位置が互いに異なる場合）に、一方の梁に、下フランジの高さ位置の差異に対応させた接合金具を用いることで、物品収納用床を水平に設けることも容易になる。
【００２７】
請求項１２のように、避難ステージの床板材が梁の上フランジに固定した接合金具で嵩上げされた構造とすると、１つの梁の上下のフランジに避難ステージと物品収納用床とを取り付けて物品収納庫を形成した構造であっても、物品収納空間の高さ寸法を大にすることができ、収納可能な容積を大にすることができる。
【図面の簡単な説明】
【００２８】
【図１】本発明の一実施例の避難タワーを示す立面図であり、（イ）は正面図（図２のＰ矢視図）、（ロ）は左側面図（図２のＱ矢視図）である。
【図２】図１の避難タワーの要部平面図であり、周囲のフェンス等を略した概ね最上階床の平面図である。
【図３】図２の最上階床の直下にある物品収納床を説明する図であり、概ね図１（イ）のＫ−Ｋ断面図である。
【図４】図２の最上階床及び図３の物品収納用床を支持している最上階梁を示す図である。
【図５】図２のＡ−Ａ断面図である。
【図６】（イ）は図２のＢ−Ｂ断面図、（ロ）は（イ）のＧ部拡大図である。
【図７】図２のＣ−Ｃ断面図である。
【図８】（イ）は図２のＤ−Ｄ断面図、（ロ）は（イ）の要部拡大図である。
【図９】図２のＥ−Ｅ断面図である。
【図１０】図２のＦ−Ｆ断面図である。
【図１１】図２の避難ステージ２における２Ａで示した領域（四方の梁で囲まれた領域）の拡大図である。
【図１２】図３における第１の物品収納庫３Ａの部分の拡大図である。
【図１３】図３における第２の物品収納庫３Ｂの部分の拡大図である。
【図１４】図３における第３の物品収納庫３Ｃの部分の拡大図である。
【図１５】図６のＧ部の詳細を床板材の詳細構造とともに説明するもので、（イ）は図６（イ）のＨ−Ｈ矢視の平面図、（ロ）は（イ）のＩ−Ｉ断面図である。
【図１６】図９において傾斜した物品収納用床４Ｃの端部を梁の下フランジにテーパ部材を介在させて固定する場合を説明する図である。
【図１７】図３の第１の物品収納用床４Ａの端部を梁の下フランジに載せる態様の他の実施例を示すもので、（イ）、（ロ）はそれぞれ異なる実施例を示す。
【図１８】実施例の避難ステージ及び物品収納床に用いた床板材の要部斜視図である。
【図１９】図１８の床板材を梁の上フランジに直接載せて敷き並べた場合を示す斜視図である。
【発明を実施するための形態】
【００２９】
以下、本発明の避難タワーを実施するための形態について、図面を参照して説明する。
【実施例１】
【００３０】
図１は本発明の一実施例の避難タワー１を示す立面図であり、（イ）は正面図（図２のＰ矢視図）、（ロ）は左側面図（図２のＱ矢視図）、図２は図１の避難タワーの要部平面図であり、概ね最上階床２の平面図である。図３は図２の最上階床２すなわち避難ステージ２の直下にあって食料品や医療品、毛布などの防災用品等の物品を収納することができる物品収納庫３を形成する物品収納床４を説明する図であり、概ね図１（イ）のＫ−Ｋ断面図、図４は図２の避難ステージ２及び図３の物品収納用床４の両者を支持している最上階梁５を示す図である。
【００３１】
この避難タワー１は、図２〜図４において四隅の柱７と左右辺の中央の柱７とのいずれも角形鋼管からなる６本の柱７と、柱間に架け渡されたＨ鋼の梁（最上階の梁５及び下層の梁６）とからなる鉄骨骨組み８を有する。図２、図３では梁５及び柱７の符号を一部省略している。
地上と避難ステージ２との間を昇降する階段１１が設けられている。階段１１には手摺１２が設けられている。避難ステージ２の周囲にフェンス１３が設置されている。１４は柱７の基礎を示す。図示例の避難タワー１の上面から見たサイズは梁芯で７.２ｍ×７.２ｍの正方形である。高さは津波想定高さに対応させるが、図示例では例えば１３ｍ程度である。
柱７は図示例では３００×３００×９ｍｍの角形鋼管を用い、一部の柱梁接合部に柱梁接合用角形鋼管７ａを用いている。梁５、６として図示例ではサイズがＨ３００×１５０×６．５×９ｍｍ及びＨ３５０×１７５×７×１１ｍｍの２種類のＨ形鋼を用いている。最上階の梁５について、その２種の梁を区別する必要がある場合、成が小のＨ３００×１５０×６．５×９ｍｍの梁を５Ａ、成が大のＨ３５０×１７５×７×１１ｍｍの梁を５Ｂで示す。Ｈ形鋼（梁５）の上フランジを５ａ、下フランジを５ｂ、ウエブを５ｃで示す。
【００３２】
前記最上階梁５に、最上階床である避難者用の前記避難ステージ２とこの避難ステージ２の下方に位置して防災用品等の物品を収納するための物品収納庫３を形成する前記物品収納用床４とが設けられて二重床構造とされている。
図２の避難ステージ２における２Ａで示す部分（後述する第1の物品収納庫３Ａ及び物品収納用床４Ａに対応する部分）を図１１に拡大して示す。この避難ステージ２には、図１８にて後述する、板幅２５０ｍｍの細長い床板材１５を用いている。
避難ステージ２は、図２、図５、図６に示すように、前記細長い床板材１５を、床板材長手方向（図２では上下方向、図６で左右方向）の両側の梁５Ａ、５Ａ間に、床板材幅方向（図２及び図５でいずれも左右方向）に並べて構成されている。前記床板材１５は、当然であるが上載荷重（概ね避難した人たちによる荷重）を受け持つ剛性を備えている。
避難ステージ２の各床板材１５は、図６に示すように、Ｈ鋼からなる梁５Ａ（実施例では成が小の梁５Ａ）の上フランジ５ａ間に架け渡されている。図示例では、床板材１５を、梁５Ａの上フランジ５ａに直接載せるのではなく、２つの熱間山形鋼を溶接接合してＺ形にした接合金具１６を梁５Ａの上フランジ５ａの上面に固定し、この接合金具１６に床板材１５の端部を載せ、固定している。床板材１５の接合金具１６の上側のフランジ１６ａへの固定手段は、例えば後述する図１５の固定金具５１と同様な固定金具を用いることができる。
上記のように、避難ステージ２が梁５の上フランジ５ａに固定した接合金具１６で嵩上げされているので、１つの梁５の上下のフランジに避難ステージ２と物品収納用床４とを取り付けて物品収納庫３を形成した構造であっても、物品収納空間の高さ寸法を大にすることができ、収納可能な容積を大にすることができる。
【００３３】
前記物品収納庫３として、図３に示すように、第1の物品収納庫３Ａと第２の物品収納庫３Ｂと第３の物品収納庫３Ｃとの３つを設けている。第1の物品収納庫３Ａの物品収納用床を４Ａ、第２の物品収納庫３Ｂの物品収納用床を４Ｂ、第３の物品収納庫３Ｃの物品収納用床を４Ｃで示す。図３の物品収納用床４Ａの部分を図１２に拡大して示し、物品収納用床４Ｂの部分を図１３に拡大して示し、物品収納用床４Ｃの部分を図１４に拡大して示す。  
各物品収納庫３は、避難ステージ２と物品収納用床４とＨ形鋼である梁５のウエブ５ｃで囲まれた空間として形成されている。第1の物品収納庫３Ａは図２の避難ステージ２の２Ａで示す部分、第２の物品収納庫３Ｂは２Ｂで示す部分、第３の物品収納庫３Ｃは２Ｃで示す部分に対応する。
【００３４】
避難ステージ２には、前記各物品収納庫３Ａ、３Ｂ、３Ｃに対して物品の出し入れをするための開閉部１７を設けている。避難ステージ２は、各物品収納庫３Ａ、３Ｂ、３Ｃ毎に２つの開閉部１７を設けている。第1の物品収納庫３Ａに対する開閉部を１７Ａ（１７Ａ１、１７Ａ２）、第２の物品収納庫３Ｂに対する開閉部を１７Ｂ（１７Ｂ１、１７Ｂ２）、第３の物品収納庫３Ｃに対する開閉部を１７Ｃ（１７Ｃ１、１７Ｃ２）で示す。
各開閉部１７は、避難ステージ２の一部を構成する２枚の床板材１５’を一体化した、梁５に対して着脱可能に設けた開閉蓋１７である。床板材１５’は、図１８に示した避難ステージ２の床板材１５自体と同じものである。
開閉蓋１７を構成する２枚の床板材１５’が一体化されていることを模式的に交差線Ｘで示している。２枚の床板材１５’を一体化する手段としては、後述する図１８の床板材１５のフランジ４２どうしをボルト接合するか、溶接接合する等を採用できる。
なお、開閉蓋（開閉部）１７は、通常を開ける必要はないので、いたずらで開けて中に入ったりあるいは持ち去ったりしないように、鍵をかけておくことも考えられる。その場合は、例えば地区住民の主だった複数人に鍵を預けておく等するとよい。
【００３５】
上記開閉部１７を構成する床板材１５’は、前記の通り、避難ステージ２の床板材１５自体と同じものであり、上載荷重を受け持つ剛性を備えている。
このように、開閉部そのものが上載荷重に耐えうるような大きな剛性を備えているので、津波の要因となる地震が発生した際に開閉部が歪んでしまうことを防ぐことができ、津波襲来時に避難者が開閉部を開閉できなくなる恐れがない。
【００３６】
また、床板材１５’は、避難ステージ２の床板材１５と同じく、床板材長手方向の両側の梁５間に掛け渡されて、梁５に直接取り付けられており、上載荷重が作用した際にその荷重を梁に伝達する構成となっている。なお、床板材１５’を梁５に直接でなく金具を介して取り付ける構成としてもよい。
物品収納用床に開閉部を取り付ける場合は、開閉部に作用する上載荷重に対して、物品収納用床の開口部を補強したり、物品収納庫に開閉部の支持部材を設置する必要があるが、本発明は上記の通り、開閉部１７に上載荷重が作用した際にその荷重を梁に応力伝達する構成であるから、開口部の補強や、物品収納庫に開閉部の支持部材を別途設置する必要がない。
【００３７】
上記の通り、開閉部１７を構成する部材（床板材１５’）及び避難ステージ２を構成する部材（床板材１５）として同じ部材を用いており、同種の金属材により構成されているので、いわゆる異種金属接触腐食の発生を防止でき、いざ開閉部を開閉するときに錆で動かないという恐れがなくなる。すなわち、避難タワーは、海岸線に近い場所に設置されて海風を長期に渡り受けるので、異種金属同士では両者間に電位差が生じて錆が進行しやすいが、開閉部と避難ステージを同種の金属材から構成することで、両者間の生じる電位差をなくして、海風による錆の進行を低減させることができる。
また、避難タワーは、建築物のような壁に断熱材を備える構成ではなく、外気温の影響を強く受けるので季節や時間による寒暖の差から生じる熱応力を特に考慮する必要があるが、開閉部と避難ステージを同種の金属材から構成することで、熱膨張率が同じとなり熱応力で取り付け部が損傷する恐れがなくなる。
なお、前記異種金属接触腐食発生の防止という点に関しては、必ずしも同一材質でなくてもよく、開閉部１７と避難ステージ２とが同一若しくは互いの腐食電位差の小さい金属材から構成されていればよい。
【００３８】
第１の物品収納庫３Ａの物品収納用床４Ａは、図３、図５、図６に示すように、避難ステージ２の床板材１５の長手方向と同方向（図３では上下方向、図６で左右方向）に細長い複数の床板材１５（避難ステージ２の床板材１５と同種の部材）を、床板材幅方向（図３及び図５でいずれも左右方向）に並べて架け渡して構成されている。
物品収納用床４の各床板材１５は、図６に示すように、避難ステージ２の床板材１５を架け渡した梁５Ａの下フランジ５ｂ間に架け渡されている。図示例では、床板材１５を梁５Ａの下フランジ５ｂに直接載せ、詳細は後述する図１５に示す固定金具５１で固定している。なお、固定金具５１を用いずに、リベットや溶接で固定することも可能である。
【００３９】
この物品収納庫３Ａへの開閉部１７は、図２に示すように、上から見て長方形をなす物品収納庫３Ａ（図２の２Ａの部分の下にある物品収納庫３Ａ）の対向する２つの短辺側（図２で左右両側）の近傍に設けている。
開閉部１７は１箇所の物品収納庫に対して複数設けることが、物品の出し入れを円滑に行なうために適切であるが、例えば実施例のように長方形の物品収納庫３Ａに対して２箇所に設けた場合、物品収納庫３Ａの一端側と他端側に設けることが、物品の出し入れを円滑に行なうため特に効果的である。
【００４０】
実施例の避難タワーの場合、物品収納庫３Ａの広さは、３．６ｍ（Ｌ１）×１．８ｍの広さで、入口と出口間の距離Ｌ２は２ｍ（床板材１５の板幅２５０ｍｍ×８枚＝２０００ｍｍ）程度なので、人が内部に入らなくても、収納物を出し入れすることができる。
なお、防災用品等の物品の物品収納庫への収納は、個々の物品をそのまま収納することもできるが、収納ケースに入れて収納すると、収納物の出し入れが容易である。
この場合、収納ケースに出口側に一端が出ている紐を繋いでおいて、紐を引いて収納ケースを取り出すようにすると、収納ケースの取り出しが容易である。
この物品収納庫への収納に用いる収納ケースは、市販のプラスチック製の収納ケースを好適に使用できる。
【００４１】
上述の通り、物品収納庫３が二重床構造をなす避難ステージ２とその下方の物品収納用床４との間の空間として形成されているので、防災用品などの物品を収納する倉庫を床上に載置した場合と比較して、避難ステージ上面の面積を広く利用することができ、避難ステージ２に多くの人が避難することができる。
また、津波災害時には避難ステージ２の面積に対して大勢の人が避難して大きな荷重が床（避難ステージ）に作用することが予想されるが、床に収納庫及び収納物を吊下げて負担して荷重が大となる収納庫吊下げ構造と比べて、物品収納に係る荷重が床自体には加わらないので、床構造をオーバースペックにする必要はなく、避難タワーを安価に施工することができる。
また、本発明では二重床構造を採用しているが、二重床にするための梁を追加で設けるとすれば、梁部材量が増えるので材料コストが高くなり、また、柱と梁の接合箇所が増えて柱梁接合部材等の加工コストが高くなり不経済である。しかし、物品収納用床４が避難ステージ２と同じ梁５に支持される構造なので、二重床構造であっても物品収納用床のための梁を別途設ける必要はなく、この点でも避難タワーを安価に施工できる。
また、物品収納庫３すなわち物品収納空間が、避難ステージ２と物品収納用床４とＨ形鋼である周囲の梁のウエブ５ｃとで囲まれた空間として形成されるので、すなわち梁（Ｈ形鋼）のウエブ５ｃが壁面を形成するので、周囲の壁面材を別途設けることが不要であり、この点でも安価に施工できる。
避難タワーはそれが将来使用されることになるかどうか分からないという性質のものであるが、上記の通り安価に設置できるので、避難タワー設置を現実的な津波対策とし採用し易くなると言える。
【実施例２】
【００４２】
第２の物品収納庫３Ｂの物品収納用床４Ｂは、図３、図７、図８に示すように、避難ステージ２の床板材１５の長手方向と直交する方向（図３、図７、図１３でいずれも左右方向）に細長い複数の床板材１５（避難ステージ２の床板材１５と同種の部材）及び角パイプ（レール部材）１９を、床板材幅方向（図３、図１３で上下方向、図８で左右方向）に交互に並べて架け渡して構成されている。
物品収納用床４Ｂの各床板材１５及び角パイプ１９は、図７に示すように、成が小の梁５Ａの下フランジ５ｂと成が大の梁５Ｂの下フランジ５ｂ間に架け渡されており、したがって、図示の通り右下がりに傾斜している。図示例では、床板材１５及び角パイプ１９を梁５Ａ又は５Ｂの下フランジ５ｂに直接載せ、固定している。床板材１５の梁５Ａ、５Ｂへの固定手段は、床板材１５の傾斜が緩やかなので、図１５の固定金具５１と同様な固定金具を用いることができる。但し、その際、後述する図１６に示したテーパ部材５２と同様なテーパ部材を介在させてもよい。
この実施例の物品収納用床４Ｂにおいて、角パイプ１９の高さは床板材１５の高さより高く、床板材１５の上面より突出してレールとして機能している。したがって、物品を直接あるいは物品を入れた収納ケースを物品収納庫に収納した時、物品又は収納ケースはレールとして機能する角パイプ１９上を小さな力でスライドさせて容易に移動させることができる。
なお、この実施例の場合は特に、収納物を角パイプ１９に沿って移動させるので、角パイプ１９をレールとして有効に機能させるために、個々の物品をそのまま入れずにすべて収納ケースに入れて収納することが好ましい。
この物品収納庫３Ｂへの開閉部１７（１７Ｂ１、１７Ｂ２）は、図３に示すように、上から見て長方形をなす物品収納庫３Ｂ（図２の２Ｂの部分の下にある物品収納庫）の対向する２つの短辺側（図２で左側の端部近傍と右側の端部）に設けている。
すなわち、この２つの開閉部１７Ｂ１、１７Ｂ２は、物品収納用床４Ｂの傾斜の上流側（図２、図７でいずれも左側）と下流側端部とに設けられている。したがって、物品又は収納ケースを傾斜上流側の開閉部１７Ｂ１から収納し傾斜下流側の開閉部１７Ｂ２から取り出すことで、物品の移動が円滑に行なわれ、物品収納用床４Ｂを傾斜させた構造が有効に活かされて物品の出し入れが容易になる。
したがって、上流側及び下流側の２つの開閉部１７Ｂ１、１７Ｂ２を小さくしても（すなわち、物品収納庫３Ｂにおける開閉部直下以外の領域（実質物品収納領域）の割合を大にしても）、物品の入口から収納したに物品を出口付近まで容易に移動させることができる。これにより、物品収納庫３Ｂに少しでも多くの物品を収納可能となる。
この実施例ではレールとして機能する角パイプ１９が設けられて物品あるいは収納ケースを小さな力でスライドさせることができるので、一層物品の出し入れが容易である。
【００４３】
図８（ロ）に拡大して示すように、床板材１５と角パイプ１９とは、角パイプ１９と両隣の床板材１５のフランジ４２にボルト２０を貫通させナットで締め付けて接合している。但し、床板材１５と角パイプ１９とはその他の接合手段を採用することができる。
また、床板材１５と角パイプ１９とは、互いに接合せずに、床板材１５及び角パイプ１９の端部をそれぞれ個別に梁５の下フランジ５ｂに固定することもできる。
また、床板材相当部分と床板材相当部分の上面から突出する角パイプ相当部分とが一体に形成された単一部材を用いることも可能である。
【００４４】
また、上記図７、図８の実施例において、物品収納用床を床板材１５のない構成とすることができる。すなわち、図示は省略するが、幅狭で細長い複数のレール部材１９のみを、レール部材長手方向両側の梁の下フランジ５ｂ間に、レール部材幅方向に間隔をあけて架け渡して物品収納用床を構成することができる。
【実施例３】
【００４５】
第３の物品収納庫３Ｃの物品収納用床４Ｃは、図３、図９、図１０に示すように、避難ステージ２の床板材１５の長手方向と直交する方向（図３、図９、図１４でいずれも左右方向）に細長い複数の床板材１５（避難ステージ２の床板材１５と同種の部材）を、床板材幅方向（図３、図１４で上下方向、図１０で左右方向）に並べて架け渡して構成されている。
物品収納用床４Ｃの各床板材１５は、図９に示すように、成が小の梁５Ａの下フランジ５ｂと成が大の梁５Ｂの下フランジ５ｂ間に架け渡されており、したがって、図示の通り傾斜している。図示例では、床板材１５の両端を梁５Ａ又は５Ｂの下フランジ５ｂに直接載せ、固定している。床板材１５の下フランジ５ｂへの固定は、図１５の固定金具５１と同様な固定金具を用いることができるが、その際、図１６に示すように、テーパ座金等のテーパ部材５２を介在させるとよい。テーパ部材５２を介在させることで、水平に張り出すフランジ５ｂに対して傾斜した床板材１５を確実に固定できる。なお、固定金具５１を用いずに、リベットや溶接で固定することも可能である。
この物品収納庫３Ｃへの２つの開閉部１７Ｃ１、１７Ｃ２は、物品収納用床４Ｃの傾斜の上流側と下流側とに設けられ、それぞれ物品入口、出口として用いられる。
図９で階段１１の上方の斜線は手摺１２の部分であることを略して示す。
【実施例４】
【００４６】
実施例の避難ステージ２及び物品収納用床４に用いた床板材１５（開閉部１７の床板材１５’も同じ形状）について説明すると、この床板材１５は、図１８に示すように、幅の広いウエブ部４１と前記ウエブ部４１の両側から下向き直角に折り曲げた短いフランジ部４２と前記フランジ部４２の下端に形成したリップ部４３とを持つ断面形状をなしている。そして、前記ウエブ部４１に床板材幅方向をなす長穴４４を床板材長手方向に間隔をあけて複数個設けた構造である。なお、図示例の床板材１５はウエブ部４１には突起を形成していないが、上面の長穴４４と長穴４４との間の桟部４５に滑り止め用の多数の突起を形成した床板材を用いてもよい。
この床板材１５は、細長い１枚の鋼板から打ち抜き加工及び折り曲げ加工により製造したものであり、前記長穴４４は、幅の狭い溝の両側に丸穴を持つ形状の打ち抜き穴の周囲を押し込んで形成したものであり、桟部４５は下向きコ字形断面となる。長穴４４の長手方向の端縁の部分は、アールを付けて下向きに折り曲げられた形状となる。
この床板材１５は多数の穴４４を有するので、避難ステージ２が仮に一時的に津波の水を被ったとしても、容易に穴４４から排除される。
【００４７】
図１５は物品収納用床４Ａの端部を固定金具５１を用いてＨ形鋼である梁５Ａの下フランジ５ｂに固定した部分を示す。
この固定金具５１は、床板材１５の上面（桟部４５）に載る上側部材６１とＨ形鋼（梁５Ａ）の下フランジ５ｂの下面側に当接可能なＬ字形の下側部材６２と、上側部材６１にあけたボルト挿入穴６１ａに通されて、下側部材６２のメネジ部６２ａに螺合するボルト６３とからなる。下側部材６２は長穴４４の幅より幅の狭いコ字形断面の細長い部材をＬ字形に折り曲げた形状である。
下側部材６２の部分を長穴４４から下に降ろしてその下辺部６２ｂを下フランジ５ｂの下面に添わせ、上側部材６１を床板材１５の桟部４５に載せて、ボルト６３を締着すると、上側部材６１と下側部材６２の水平な下辺部６２ｂとで床板材１５をＨ形鋼の下フランジ５ｂに押し付けて、床板材１５を下フランジ５ｂに固定する。
なお、この実施例では避難ステージ２の床板材１５は、梁５の上フランジ５ａに直接載せずに、上フランジ５ａに固定したＺ形の接合金具１６に載せているので、避難ステージ２の床板材１５を前記固定金具５１を用いて接合金具１６上に固定する場合は、図１５におけるＨ形鋼の下フランジ５ｂが接合部材１６の上側のフランジ１６ａ（例えば図６（ロ）の上側のフランジ１６ａ）に置き換わった構造となる。
また、避難ステージ２の床板材１５を、上フランジ５ａに直接載せてもよい。避難ステージ２の床板材１５を梁５の上フランジ５ａに直接載せる場合は、図１９のような態様となる。
【実施例５】
【００４８】
上述の各実施例では物品収納用床４の床板材１５をＨ形鋼の梁５の下フランジ５ｂに直接載せて固定しているが、図１７（イ）のように、梁５の下フランジ５ｂにフラットバー５３を例えば溶接等により固定し、このフラットバー５３上に床板材１５を固定してもよい。床板材１５のフラットバー５３への固定は、図１５と同様に固定金具５１を用いて行なうことができる。
【００４９】
また、図１７（ロ）に示すように、梁５の下フランジ５ｂに例えばＺ形の接合金具５４を例えば溶接等により固定し、この接合金具５４に床板材１５を固定してもよい。Ｚ形の接合金具５４は、図６（ロ）の接合金具１６と同様に２つの山形鋼を溶接接合して作製してもよい。
物品収納用床４の床板材１５をこの接合金具５４に載せて梁５の下フランジ５ｂに固定する構造を採用すると、物品収納用床４の高さ位置が図示のように梁５の下フランジ高さ位置より低い位置となるので、１つの梁５の上下のフランジに避難ステージ２と物品収納用床４とを取り付けて物品収納庫を形成した構造であっても、物品収納空間の高さ寸法を大にすることができ、収納可能な容積を大にすることができる。
【実施例６】
【００５０】
なお、実施例では避難ステージ２における３箇所に物品収納庫を設けたが、物品収納庫を設ける箇所数は特に限定されない。また、避難ステージ２の一部に限らず全体に物品収納庫を設けることも可能である。この場合は避難ステージ２の全体が二重床構造となる。
また、実施例では床板材として図１８に示すような形状の部材を用いたが、床板材はエキスパンドメタルその他種々の部材を採用することができる。
また、実施例の避難タワーは上面から見た形状が正方形であるが、正方形に限らず種々の形状とすることができる。
また、鉄骨骨組みは垂直な柱を持つ構造に限らず、上部が先細りとなる鉄塔型の鉄骨骨組みを採用することもできる。
また、実施例の避難タワーは最上階のみに避難ステージを設けたが、さらに下層階にも避難ステージを設けることもできる。
実施例では太陽光発電装置を特に示していないが、最上階に太陽光発電装置を設置することができる。
【符号の説明】
【００５１】
１  避難タワー
２  避難ステージ（最上階床）
３  物品収納庫
３Ａ  第１の物品収納庫
３Ｂ  第２の物品収納庫
３Ｃ  第３の物品収納庫
４  物品収納用床
４Ａ  （第１の物品収納庫の）物品収納用床
４Ｂ  （第２の物品収納庫の）物品収納用床
４Ｃ  （第３の物品収納庫の）物品収納用床
５  最上階の梁（Ｈ形鋼）
５ａ  （梁の）上フランジ
５ｂ  （梁の）下フランジ
５ｃ  （梁の）ウエブ
５Ａ  （成が小の）最上階の梁
５Ｂ  （成が大の）最上階の梁
６  （下層の）梁
７  柱
８  鉄骨骨組み
１１  階段
１２  手摺
１３  フェンス
１４  柱の基礎
１５  床板材
１５’（２枚を接合して開閉部を構成する）床板材
１６  接合金具
１６ａ  フランジ
１７  開閉部（開閉蓋）
１７Ａ１、１７Ａ２  （第１の物品収納庫への）開閉部
１７Ｂ１、１７Ｂ２  （第２の物品収納庫への）開閉部
１７Ｃ１、１７Ｃ２  （第３の物品収納庫への）開閉部
１９  角パイプ（レール部材）
４１  （床板材１５の）ウエブ部
４２  （床板材１５の）フランジ部
４３  （床板材１５の）リップ部
４４  （床板材１５の）長穴
４５  （床板材１５の）桟部
５１  固定金具
５２  テーパ部材
５３  フラットバー
５４  接合部材
【図１】
2013253447.tif 000003
【図２】
2013253447.tif 000004
【図３】
2013253447.tif 000005
【図４】
2013253447.tif 000006
【図５】
2013253447.tif 000007
【図６】
2013253447.tif 000008
【図７】
2013253447.tif 000009
【図８】
2013253447.tif 000010
【図９】
2013253447.tif 000011
【図１０】
2013253447.tif 000012
【図１１】
2013253447.tif 000013
【図１２】
2013253447.tif 000014
【図１３】
2013253447.tif 000015
【図１４】
2013253447.tif 000016
【図１５】
2013253447.tif 000017
【図１６】
2013253447.tif 000018
【図１７】
2013253447.tif 000019
【図１８】
2013253447.tif 000020
【図１９】
2013253447.tif 000021